(57)【要約】【課題】生体情報測定装置の使用者の使い勝手を向上させることを目的とする。【解決手段】生体情報測定装置１は、人体に装着されるベースユニット２、ベースユニット２に装着されるトランスミッタ３を備える。ベースユニット２は、センサユニット４を有する。トランスミッタ３は、センサユニット４に接続される測定部９、測定部９に接続された制御部１０、制御部１０に接続された通信部１１および電池１３、制御部１０と電池１３の間に設けられた電源スイッチ１４，１５、電源スイッチ１５に接続されたスイッチ操作回路１６を有する。ベースユニット２が電源スイッチ１４を操作し、スイッチ操作回路１６が電源スイッチ１５を操作する。【選択図】図４
2019213601.tif 000002
【特許請求の範囲】
【請求項１】
人体に装着されるベースユニットと、前記ベースユニットに装着されるトランスミッタと、を備え、
前記ベースユニットは、センサユニットを有し、
前記トランスミッタは、
前記センサユニットに接続され、生体情報の測定を行う測定部と、
前記測定部に接続された制御部と、
前記制御部に接続され、外部機器と通信を行う通信部と、
前記制御部に接続され、前記制御部および前記通信部に対して電力を供給する電源部と、
前記制御部と前記電源部との間に設けられており、前記電源部から前記制御部に対する電力供給をオン／オフする第１の電源スイッチおよび第２の電源スイッチと、
前記第２の電源スイッチに接続されたスイッチ操作回路と、
を有し、
前記ベースユニットが、前記第１の電源スイッチを操作し、
前記スイッチ操作回路が、前記第２の電源スイッチを操作する、
生体情報測定装置。
【請求項２】
前記ベースユニットは、前記トランスミッタの前記第１の電源スイッチを操作する操作部をさらに有しており、
前記操作部は、前記ベースユニットに前記トランスミッタが装着される時に、前記トランスミッタの前記第１の電源スイッチを操作する、
請求項１に記載の生体情報測定装置。
【請求項３】
前記第１の電源スイッチには、前記スイッチ操作回路が接続されており、
前記第１の電源スイッチが操作されると、前記スイッチ操作回路によって前記第２の電源スイッチが操作され、前記電源部による電力供給が行われる、
請求項２に記載の生体情報測定装置。
【請求項４】
前記制御部は、前記外部機器からの測定完了通知を受信すると、前記スイッチ操作回路を用いて前記第２の電源スイッチを操作し、前記電源部による電力供給を停止させる、
請求項１から３のいずれか１つに記載の生体情報測定装置。
【発明の詳細な説明】
【技術分野】
【０００１】
本願は、例えば、持続血糖測定を行う生体情報測定装置に関するものである。
【背景技術】
【０００２】
従来の生体情報測定装置の構成は、以下のようになっていた。
すなわち、生体情報測定装置は、センサユニットを有するトランスミッタを備えている。そして、トランスミッタは、センサユニットに接続される測定部と、測定部に接続された制御部と、制御部に接続された通信部および電源部と、制御部と電源部との間に設けられた電源スイッチと、を有している。そして、トランスミッタがセンサユニットと共に人体に装着された後、電源スイッチがオンされ、トランスミッタは、通信部を介して外部機器と通信する（例えば、下記特許文献１）。
【０００３】
なお、トランスミッタの使用期限（例えば、２週間）が経過した時は、使用者は、人体から使用済みとなったトランスミッタを取り外し、その後、新しいトランスミッタを装着する。
【先行技術文献】
【特許文献】
【０００４】
【特許文献１】特表２０１３−５２３２１７号公報
【発明の概要】
【発明が解決しようとする課題】
【０００５】
上記従来例における課題は、生体情報測定装置の使い勝手が悪いことであった。
すなわち、トランスミッタの交換時に、使用者が、使用済みのトランスミッタの電源をオンにしたままで、新しいトランスミッタの電源をオンにしてしまう場合がある。この場合、外部機器は、２つのトランスミッタと通信可能な状態となるので、誤って不適切なトランスミッタ（使用済みのトランスミッタ）と通信するおそれがある。この結果、生体情報測定装置の使用者の使い勝手が悪かった。
【０００６】
そこで、本発明は、生体情報測定装置の使用者の使い勝手を向上させることを目的とする。
【課題を解決するための手段】
【０００７】
この目的を達成するために、本発明の生体情報測定装置は、人体に装着されるベースユニットと、ベースユニットに装着されるトランスミッタと、を備えている。ベースユニットは、センサユニットを有している。トランスミッタは、センサユニットに接続される測定部と、測定部に接続された制御部と、制御部に接続され外部機器と通信を行う通信部と、制御部に接続され制御部および通信部に対して電力を供給する電源部と、制御部と電源部との間に設けられており電源部から制御部に対する電力供給をオン／オフする第１の電源スイッチおよび第２の電源スイッチと、第２の電源スイッチに接続されたスイッチ操作回路と、を有している。そして、ベースユニットが第１の電源スイッチを操作し、スイッチ操作回路が第２の電源スイッチを操作する。
【０００８】
この構成により、所期の目的を達成する。
【発明の効果】
【０００９】
以上のように本発明では、トランスミッタの使用期限（例えば、２週間）が経過した時は、スイッチ操作回路が第２の電源スイッチを操作して電力供給を停止させ、通信部による通信を不可な状態とするのである。
【００１０】
したがって、使用済みのトランスミッタが人体から取り外され、新しいトランスミッタが人体に装着された時には、使用済みのトランスミッタは通信が不可な状態となっている。したがって、外部機器は新しいトランスミッタとのみ通信する。その結果として、生体情報測定装置の使用者の使い勝手を向上させることができる。
【図面の簡単な説明】
【００１１】
【図１】本発明の実施の形態１係る生体情報測定装置の使用状態を示す斜視図。
【図２】図１の生体情報測定装置の斜視図。
【図３】図１の生体情報測定装置の正面図。
【図４】図１のトランスミッタの制御ブロック図。
【図５】図４のスイッチ操作回路の電気回路図。
【図６】図４のスイッチ操作回路の動作説明図。
【図７】図４の制御部の動作フローチャート。
【発明を実施するための形態】
【００１２】
以下に、本発明の一実施形態を、図面とともに詳細に説明する。
（実施の形態１）
図１および図２は、生体情報測定装置１の構成を示す図である。
【００１３】
生体情報測定装置１は、人体に装着されるベースユニット２と、ベースユニット２に装着されるトランスミッタ３（生体情報を測定する測定器の一例）とを備えている。ベースユニット２は、センサユニット４を有している。トランスミッタ３は、薄板状の形状を有している。
【００１４】
そして、図１に示すように、ベースユニット２は、センサ挿入装置５によって人体６の一部（例えば、上腕部）に装着される。
トランスミッタ３は、人体６に装着されたベースユニット２の上面に装着される。
【００１５】
図３は、人体６にベースユニット２が装着され、ベースユニット２にトランスミッタ３が装着された状態を示している。
トランスミッタ３は、ほぼ全ての側面がベースユニット２に内包されている。つまり、トランスミッタ３は、一旦、ベースユニット２に装着されると、ベースユニット２から容易に取り外せないように構成されている。
【００１６】
ベースユニット２の下方では、センサユニット４のセンサ７が人体６内に留置されている。センサ７は、人体６の生体情報を測定し、その測定値をトランスミッタ３の通信機能を用いて、例えば、携帯電話８（外部機器の一例）に伝送する。
【００１７】
本実施形態の生体情報測定装置１は、生体情報として持続血糖測定を行う装置であって、例えば、２週間継続して１分毎に血糖値を測定する。これにより、例えば、血糖値のコントロールが必要な患者の血糖状態の傾向や寝ている時の血糖状態を把握することができる。
【００１８】
図４は、トランスミッタ３の制御ブロック図を示している。
トランスミッタ３内では、測定部９が、センサユニット４と制御部１０とに接続されている。制御部１０には、携帯電話８と通信する通信部１１、および時計１２が電気的に接続されている。
【００１９】
さらに、制御部１０には、電池１３（電源部の一例）が電気的に接続されている。そして、制御部１０と電池１３との間には、その通電回路上に、電源スイッチ１４（第１の電源スイッチ部の一例）、電源スイッチ１５（第２の電源スイッチ部の一例）が設けられている。
【００２０】
電源スイッチ１５には、スイッチ操作回路１６が接続されている。スイッチ操作回路１６は、制御部１０に接続されており、電源スイッチ１４と電源スイッチ１５との間にも接続されている。
【００２１】
電源スイッチ１４は、短絡されることでスイッチオンの状態となる。そして、電源スイッチ１４を短絡させるために、ベースユニット２は、通電性の操作板１７（操作部の一例、図２参照）を有している。
【００２２】
電源スイッチ１５は、制御部１０に操作されたスイッチ操作回路１６によって操作される。
なお、電源スイッチ１４および電源スイッチ１５の動作については後述する。
【００２３】
制御部１０には、記憶部１８が接続されている。記憶部１８は、制御部１０の制御ソフトウェア、測定部９の測定値などを記憶する。また、電池１３は、制御部１０、および制御部１０に接続された各部（測定部９、通信部１１、時計１２等）に電力を供給する。
【００２４】
図５は、スイッチ操作回路１６の電気回路を示している。
電池１３は、例えば、３ボルトの電圧を出力する。電池１３のプラス側は、電源スイッチ１４および電源スイッチ１５を介して、制御部１０に接続されている。電池１３のマイナス側は、電気回路のＧＮＤ（グランド）に接続されている。
【００２５】
電源スイッチ１４から電源スイッチ１５との間と、ＧＮＤ側との間には、リセットＩＣ１９（ボルテージディレクタとも称する）が接続されている。
リセットＩＣ１９の出力は、スイッチ２０を介してＧＮＤに接続されている。また、リセットＩＣ１９の出力は、電源スイッチ１５を操作するために電源スイッチ１５に接続されている。さらに、リセットＩＣ１９の出力は、抵抗２１を介して、電源スイッチ１４と電源スイッチ１５との間に接続されている。
【００２６】
リセットＩＣ１９は、一般的なリセットＩＣが用いられている。リセットＩＣ１９の出力は、オープンコレクタまたはオープンドレインによって構成されている。リセットＩＣ１９に電力が供給されると、先ず、リセットＩＣ１９の出力端子に０ボルト（以後、Ｌ信号とも称する）が出力され、所定時間後に出力端子はハイインピーダンス（ＨｉＺ）となる。
【００２７】
また、スイッチ２０を操作するために、制御部１０の出力が抵抗２２を介してスイッチ２０に接続されている。
本実施形態においては、リセットＩＣ１９、スイッチ２０、抵抗２１、抵抗２２によって、スイッチ操作回路１６が構成されている。
【００２８】
以下で、生体情報測定装置１の動作について説明する。
図２に示すように、使用者がベースユニット２にトランスミッタ３を装着すると、この装着動作によって、ベースユニット２側のセンサユニット４は、トランスミッタ３の測定部９（図４参照）に電気的に接続される。また、この装着動作によって、ベースユニット２の操作板１７が、図４の電源スイッチ１４を短絡することで、電源スイッチ１４はオン状態へ移行する。
【００２９】
電源スイッチ１４がオン状態に移行すると、図４に示すように、電池１３からスイッチ操作回路１６に対して電力が供給され、スイッチ操作回路１６が電源スイッチ１５を操作してオン状態へ移行させる。
【００３０】
より具体的に説明すると、図５に示すように、例えば、時刻Ｔ１に電源スイッチ１４がオン状態へ移行すると、リセットＩＣ１９に電力が供給される。このとき、図６のＤに示すように、リセットＩＣ１９の出力端子に０ボルト（Ｌ信号）が出力される。電源スイッチ１５は、このＬ信号によって操作され、閉成されてオンの状態となる。
【００３１】
このとき、電源スイッチ１４がオン状態へ移行すると、電源スイッチ１４に連動して電源スイッチ１５がオンになる（図５、図６のＡ、図６のＢ参照）。すると、電池１３から制御部１０に電力が供給され、トランスミッタ３が起動する（図７のＳ１）。
【００３２】
すなわち、本実施形態においては、ベースユニット２の操作板１７によって電源スイッチ１４が操作されるように構成されているので、ベースユニット２にトランスミッタ３を装着することで、トランスミッタ３を起動させることができる。
【００３３】
その後、制御部１０は、図６のＥに示すように、スイッチ２０（図５参照）に向けて、例えば、３ボルトのＨ信号を出力する。このＨ信号によって、スイッチ２０が操作され、スイッチ２０は閉成してオン状態になる。スイッチ２０がオンになると、電源スイッチ１５への入力がＬ信号のまま保持されるので（図６のＣ参照）、電源スイッチ１５はオン状態で保持される。これにより、制御部１０は、その駆動状態を維持することができる。
【００３４】
そして、トランスミッタ３は、携帯電話８と相互の認証作業を実施する。具体的には、トランスミッタ３の制御部１０が、通信部１１を介して、トランスミッタ３の認証情報を携帯電話８に送信し（図７のＳ２）、携帯電話８とトランスミッタ３との認証が行われる（図７のＳ３）。この認証は、一般的な認証であるので、詳細は省略する。
【００３５】
本実施形態の生体情報測定装置１は、生体情報として持続血糖測定を行う装置であって、携帯電話８との認証作業が完了すると、制御部１０は、測定部９を用いて、例えば、１分毎に血糖値（測定値の一例）を測定し、記憶部１８に測定結果を順次記憶させる。そして、制御部１０は、記憶部１８に記憶された血糖値を、通信部１１を介いて、例えば、５分毎に携帯電話８に送信する。このような測定処理および送信処理は、例えば、２週間継続して実施される（図７のＳ４）。
【００３６】
本実施形態においては、２週間の継続測定が終了すると、制御部１０は、携帯電話８から、通信部１１を介して測定完了通知を受信する。そして、制御部１０は、測定完了通知を受信すると、スイッチ操作回路１６を用いて測定終了処理を開始する。
【００３７】
具体的には、図６のＥに示すように、制御部１０が、時刻Ｔ２において測定終了処理を開始する。制御部１０は、スイッチ操作回路１６のスイッチ２０に向けてＬ信号を出力する。スイッチ２０は、Ｌ信号によって操作され、オフ状態へ移行する。スイッチ２０がオフ状態へ移行すると、電源スイッチ１５への入力がＨ信号となるので（図５、図６のＣ参照）、電源スイッチ１５はオフ状態へ移行する。
【００３８】
電源スイッチ１５がオフになると、測定終了処理が完了し（図７のＳ５）、これ以降は、電池１３から制御部１０に対する電力供給が停止される。よって、トランスミッタ３の通信部１１が携帯電話８と通信することを防止することができる。
【００３９】
そして、このトランスミッタ３は、使用済みとして人体６から取り外される。使用者は、使用済みのトランスミッタ３がベースユニット２に装着された状態で、ベースユニット２とトランスミッタ３とを一体的に人体６から取り外す。
【００４０】
その後、使用者は、人体６に新しいベースユニット２を装着した後、ベースユニット２に新しいトランスミッタ３を装着する。
すなわち、トランスミッタ３の使用期限（例えば、２週間）が経過すると、スイッチ操作回路１６が、第２の電源スイッチ１５を操作して、電池１３からの電力供給を停止させ、通信部１１による通信を不可状態とする。
【００４１】
したがって、使用済みのトランスミッタ３が人体６から取り外されて新しいトランスミッタ３が人体６に装着された時には、使用済みのトランスミッタ３は通信不可の状態となっている。したがって、携帯電話８は、新しいトランスミッタ３とのみ通信可能となるため、携帯電話８が、使用済みのトランスミッタ３および新しいトランスミッタ３の双方と通信可能な状態になることを回避することができる。この結果、使用者の使い勝手を向上させることができる。
【００４２】
また、本実施形態においては、ベースユニット２が、ベースユニット２にトランスミッタ３が装着された状態においてトランスミッタ３に対向する部分に設けられ、トランスミッタ３の電源スイッチ１４を操作する通電性の操作板１７（操作部の一例で図２参照）を有している。
【００４３】
そして、操作板１７は、ベースユニット２にトランスミッタ３が装着された際に、トランスミッタ３の電源スイッチ１４に物理的に接触して、電源スイッチ操作する。
このため、ベースユニット２にトランスミッタ３を装着する動作によって、操作板１７が電源スイッチ１４を操作してトランスミッタ３の電源をオンにすることができる。したがって、使用者は、トランスミッタ３の電源がオン状態になっているか否かを意識する必要はない。この結果、この点からも、使用者の使い勝手を向上させることができる。
【００４４】
さらに、本実施形態においては、電源スイッチ１４には、スイッチ操作回路１６が接続されており、電源スイッチ１４が操作されると、スイッチ操作回路１６によって電源スイッチ１５が操作され、電池１３による電力供給が行われる。
【００４５】
このため、ベースユニット２にトランスミッタ３を装着する動作によって、電源スイッチ１４および電源スイッチ１５をオン状態へ移行させることができる。その結果、この点からも、使用者の使い勝手を向上させることができる。
【００４６】
さらにまた。本実施形態においては、制御部１０は、通信部１１を介して携帯電話８からの測定完了通知を受信すると、スイッチ操作回路１６を用いて第２の電源スイッチ１５を操作し、電池１３による電力供給を停止させる。
【００４７】
すなわち、トランスミッタ３は、携帯電話８（外部機器）からの測定完了通知を受信すると、その動作を停止させる。そして、この時、携帯電話８等の外部機器は、すでに使用済みのトランスミッタ３と通信する必要がない。言い換えれば、携帯電話８等の外部機器は、トランスミッタ３から必要な測定値を全て受け取った状態である。
【００４８】
したがって、トランスミッタ３内に、未送信の測定値が残ってしまうことがない。
【産業上の利用可能性】
【００４９】
本願は、例えば、持続血糖測定を行う生体情報測定装置として活用が期待される。
【符号の説明】
【００５０】
１      生体情報測定装置
２      ベースユニット
３      トランスミッタ
４      センサユニット
５      センサ挿入装置
６      人体
７      センサ
８      携帯電話（外部機器）
９      測定部
１０      制御部
１１      通信部
１２      時計
１３      電池（電源部）
１４      電源スイッチ（第１の電源スイッチ）
１５      電源スイッチ（第２の電源スイッチ）
１６      スイッチ操作回路
１７      操作板（操作部）
１８      記憶部
１９      リセットＩＣ
２０      スイッチ
２１      抵抗
２２      抵抗
【図１】
2019213601.tif 000003
【図２】
2019213601.tif 000004
【図３】
2019213601.tif 000005
【図４】
2019213601.tif 000006
【図５】
2019213601.tif 000007
【図６】
2019213601.tif 000008
【図７】
2019213601.tif 000009